(57)【要約】【課題】大開口サッシに高い気密性及び水密性を付与する。【解決手段】建物の窓用開口部に設置される、下枠11、上枠12、一対の縦枠13, 14を備えた四方枠15と、下枠11内に回転自在に配置された複数の戸車31と、戸車31上を覆う平板状のカバー材32と、戸車31の上端部を突出させるための複数の開口部33と、カバー材32上に往復移動可能に載置された外動障子16と、四方枠15側に配置された、外動障子16の外面周縁部に接触する第１の隙間塞ぎ材41と、内面周縁部に接触する第２の隙間塞ぎ材43とを備え、第２の隙間塞ぎ材43が可撓性を備えたゴム材より構成される。【選択図】図８
2017110473.tif 000002
【特許請求の範囲】
【請求項１】
建物の窓用開口部に設置される、下枠、上枠、一対の縦枠を備えた四方枠と、
上記下枠内に回転自在に配置された複数の戸車と、
上記戸車上を覆う平板状のカバー材と、
上記戸車の上端部を突出させるために、上記カバー材に形成された複数の開口部と、
上記カバー材上に往復移動可能に載置された障子と、
上記四方枠側に配置された、上記障子の外面周縁部に接触する第１の隙間塞ぎ材、及び上記障子の内面周縁部に接触する第２の隙間塞ぎ材とを備え、
上記第１の隙間塞ぎ材及び第２の隙間塞ぎ材の少なくとも一方が、可撓性を備えたゴム材よりなることを特徴とする大開口サッシ。
【請求項２】
建物の窓用開口部に設置される、下枠、上枠、一対の縦枠を備えた四方枠と、
上記下枠内に回転自在に配置された複数の戸車と、
上記戸車上を覆う平板状のカバー材と、
上記戸車の上端部を突出させるために、上記カバー材に形成された複数の開口部と、
上記カバー材上に往復移動可能に載置された障子とを備え、
上記障子の外面下端に、上記下枠との間の隙間を塞ぐ可撓性を備えた止水パッキンを取り付けたことを特徴とする大開口サッシ。
【請求項３】
建物の窓用開口部に設置される、下枠、上枠、一対の縦枠を備えた四方枠と、
上記下枠内に回転自在に配置された複数の戸車と、
上記戸車上を覆う平板状のカバー材と、
上記戸車の上端部を突出させるために、上記カバー材に形成された複数の開口部と、
上記カバー材上に往復移動可能に載置された障子とを備え、
上記障子の外面下端に、上記下枠との間の隙間を覆う庇状の水切を取り付けたことを特徴とする大開口サッシ。
【請求項４】
建物の窓用開口部に設置される、下枠、上枠、一対の縦枠を備えた四方枠と、
上記下枠内に回転自在に配置された複数の戸車と、
上記戸車上を覆う平板状のカバー材と、
上記戸車の上端部を突出させるために、上記カバー材に形成された複数の開口部と、
上記カバー材上に往復移動可能に載置された障子と、
上記下枠の下方に配置された下枠受材とを備え、
上記下枠受材が、アルミ一体成形品よりなり、
上記下枠の室内側隔壁との間に一定の間隔を隔てて平行配置され、下枠から溢れた水が室内側に流出するのを堰き止める障壁部と、
レベル調整ボルトを収納するための複数のボルト収納部と、
上記下枠の排水口から排出された水を室外に案内する庇状の水切部とを備えたことを特徴とする大開口サッシ。
【請求項５】
建物の窓用開口部に設置される、下枠、上枠、一対の縦枠を備えた四方枠と、
上記下枠内に回転自在に配置された複数の戸車と、
上記戸車上を覆う平板状のカバー材と、
上記戸車の上端部を突出させるために、上記カバー材に形成された複数の開口部と、
上記カバー材上に往復移動可能に載置された障子と、
上記障子の後端枠に形成されたアルミ製の突出縁部と、
この突出縁部に設けられた収納スペースと、
この収納スペースに装填された補強用の鋼材とを備えたことを特徴とする大開口サッシ。
【請求項６】
建物の窓用開口部に設置される、下枠、上枠、一対の縦枠を備えた四方枠と、
上記下枠内に回転自在に配置された複数の戸車と、
上記戸車上を覆う平板状のカバー材と、
上記戸車の上端部を突出させるために、上記カバー材に形成された複数の開口部と、
上記カバー材上に往復移動可能に載置された障子と、
上記障子の先端枠に取り付けられた第１の戸先取手形材及び第２の戸先取手形材とを備え、
上記第１の戸先取手形材が障子の一面側に配置されると共に、上記第２の戸先取手形材が障子の他面側に配置され、
第１の戸先取手形材の先端係合部と、第２の戸先取手形材の先端係合部間が、相互に一定の間隙をおいて配置された一対の断熱材によって連結されており、
この結果、第１の戸先取手形材と第２の戸先取手形材によって障子の両面が挟持されていることを特徴とする大開口サッシ。
【発明の詳細な説明】
【技術分野】
【０００１】
この発明はサッシに係り、特に、障子のサイズが一般的なサッシに比べて大きく設定された大開口サッシに関する。
【背景技術】
【０００２】
ヨーロッパを中心に、眺望性及び意匠性に優れた大開口サッシが実用化されており（非特許文献１参照）、今後、日本を含むアジア地域等においても普及していくことが予想される。
このような大開口サッシの場合、個々の障子のサイズが大きい分（例えば、高さ3,000〜3,500mm／幅2,000〜2,500mm）、日本の一般的な障子に比べて重量も嵩むため（例えば250〜400Kg）、窓枠の下面に敷設されたレール上を障子側の戸車を回転させることで移動させる方式では、スムーズな開閉が困難となる。
このため、窓枠の下面に戸車を埋設し、その上に障子を載置した所謂「ソロバンレール」方式が一般に採用されている（特許文献１参照）。【０００３】
【非特許文献１】Invisible Frame  インターネットURL：http://www.vitrocsa.ch/invisible-frame  検索日：２０１５年１１月２７日
【特許文献１】WO 94/17275
【発明の開示】
【発明が解決しようとする課題】
【０００４】
上記のように、大開口サッシに対する需要は、日本を含むアジア等においても拡大していくことが見込まれるが、これまでになかったカテゴリの建具であるため、現状では外国（主としてヨーロッパ）からの輸入に頼っているのが現状である。
このため、日本等の気候風土や法制度に必ずしも適合しておらず、防水性や耐久性等の点で多くの問題点が指摘されている。【０００５】
この発明は、現行の大開口サッシに係る種々の問題点を解決するために案出されたものであり、防水性や耐久性等に優れた大開口サッシの構造を提供することを目的としている。
【課題を解決するための手段】
【０００６】
上記の目的を達成するため、請求項１に記載した大開口サッシは、建物の窓用開口部に設置される、下枠、上枠、一対の縦枠を備えた四方枠と、上記下枠内に回転自在に配置された複数の戸車と、上記戸車上を覆う平板状のカバー材と、上記戸車の上端部を突出させるために、上記カバー材に形成された複数の開口部と、上記カバー材上に往復移動可能に載置された障子と、上記四方枠側に配置された、上記障子の外面周縁部に接触する第１の隙間塞ぎ材、及び上記障子の内面周縁部に接触する第２の隙間塞ぎ材とを備え、上記第１の隙間塞ぎ材及び第２の隙間塞ぎ材の少なくとも一方が、可撓性を備えたゴム材よりなることを特徴としている。【０００７】
また、請求項２に記載した大開口サッシは、建物の窓用開口部に設置される、下枠、上枠、一対の縦枠を備えた四方枠と、上記下枠内に回転自在に配置された複数の戸車と、上記戸車上を覆う平板状のカバー材と、上記戸車の上端部を突出させるために、上記カバー材に形成された複数の開口部と、上記カバー材上に往復移動可能に載置された障子とを備え、上記障子の外面下端に、上記下枠との間の隙間を塞ぐ可撓性を備えた止水パッキンを取り付けたことを特徴としている。【０００８】
請求項３に記載した大開口サッシは、建物の窓用開口部に設置される、下枠、上枠、一対の縦枠を備えた四方枠と、上記下枠内に回転自在に配置された複数の戸車と、上記戸車上を覆う平板状のカバー材と、上記戸車の上端部を突出させるために、上記カバー材に形成された複数の開口部と、上記カバー材上に往復移動可能に載置された障子とを備え、上記障子の外面下端に、上記下枠との間の隙間を覆う庇状の水切を取り付けたことを特徴としている。【０００９】
請求項４に記載した大開口サッシは、建物の窓用開口部に設置される、下枠、上枠、一対の縦枠を備えた四方枠と、上記下枠内に回転自在に配置された複数の戸車と、上記戸車上を覆う平板状のカバー材と、上記戸車の上端部を突出させるために、上記カバー材に形成された複数の開口部と、上記カバー材上に往復移動可能に載置された障子と、上記下枠の下方に配置された下枠受材とを備え、上記下枠受材が、アルミ一体成形品よりなり、上記下枠の室内側隔壁との間に一定の間隔を隔てて平行配置され、下枠から溢れた水が室内側に流出するのを堰き止める障壁部と、レベル調整ボルトを収納するための複数のボルト収納部と、上記下枠の排水口から排出された水を室外に案内する庇状の水切部とを備えたことを特徴としている。【００１０】
請求項５に記載した大開口サッシは、建物の窓用開口部に設置される、下枠、上枠、一対の縦枠を備えた四方枠と、上記下枠内に回転自在に配置された複数の戸車と、上記戸車上を覆う平板状のカバー材と、上記戸車の上端部を突出させるために、上記カバー材に形成された複数の開口部と、上記カバー材上に往復移動可能に載置された障子と、上記障子の後端枠に形成されたアルミ製の突出縁部と、この突出縁部に設けられた収納スペースと、この収納スペースに装填された補強用の鋼材とを備えたことを特徴としている。【００１１】
請求項６に記載した大開口サッシは、建物の窓用開口部に設置される、下枠、上枠、一対の縦枠を備えた四方枠と、上記下枠内に回転自在に配置された複数の戸車と、上記戸車上を覆う平板状のカバー材と、上記戸車の上端部を突出させるために、上記カバー材に形成された複数の開口部と、上記カバー材上に往復移動可能に載置された障子と、上記障子の先端枠に取り付けられた第１の戸先取手形材及び第２の戸先取手形材とを備え、上記第１の戸先取手形材が障子の一面側に配置されると共に、上記第２の戸先取手形材が障子の他面側に配置され、第１の戸先取手形材の先端係合部と、第２の戸先取手形材の先端係合部間が、相互に一定の間隙をおいて配置された一対の断熱材によって連結されており、この結果、第１の戸先取手形材と第２の戸先取手形材によって障子の両面が挟持されていることを特徴としている。
【発明の効果】
【００１２】
請求項１に記載した大開口サッシの場合、第１の隙間塞ぎ材及び第２の隙間塞ぎ材の少なくとも一方が、可撓性を備えたゴム材よりなるため、障子の周縁部との間に高い気密性及び水密性を実現することができる。【００１３】
請求項２に記載した大開口サッシの場合、障子の外面下端に、下枠との間の隙間を塞ぐ可撓性を備えた止水パッキンが取り付けられているため、雨水が上記隙間から下枠内に浸入し難くなり、下枠から水が溢れて室内に流入することを有効に抑えることができる。【００１４】
請求項３に記載した大開口サッシの場合、障子の外面下端に、下枠との間の隙間を覆う庇状の水切が取り付けられているため、雨水が上記隙間から下枠内に浸入し難くなり、下枠から水が溢れて室内に流入することを有効に抑えることができる。【００１５】
請求項４に記載した大開口サッシの場合、下枠の下方に配置された下枠受材が、下枠の室内側隔壁との間に一定の間隔を隔てて平行配置された障壁部を備えているため、万一下枠から水が漏れても室内側に流出することを有効に抑えることができる。
また、ボルト収納部を一体的に備えているため、わざわざレベル調整ボルト装着用の取付枠材を接続することなく、レベル調整ボルトを装着することが可能となる。【００１６】
請求項５に記載した大開口サッシの場合、障子の後端枠に形成されたアルミ製の突出縁部に予め収納スペースが設けられており、この中に補強用の鋼材を装填させた構造を備えているため、美観を損なうことなく必要な剛性を確保することができ、台風等の風圧にも十分に耐えることが可能となる。【００１７】
請求項６に記載した大開口サッシの場合、障子の両面を挟持する第１の戸先取手形材と第２の戸先取手形材が、相互に一定の間隔をおいて配置された一対の断熱材によって連結されているため、何れか一方の戸先取手形材に対して閉じ方向の大きな力が加えられても、当該戸先取手形材が外側に開き難くなり、障子の先端枠から剥がれ落ちる危険性を低減することができる。
【発明を実施するための最良の形態】
【００１８】
図１及び図２は、この発明に係る大開口サッシ10の基本構造を示す斜視図であり、図３及び図４は縦断面図、図５は横断面図である。
図示の通り、この大開口サッシ10は、アルミ製の下枠11と、上枠12と、一対の縦枠13及び縦枠14によって囲まれた四方枠15を備えている。【００１９】
また、四方枠15には、室外側に配置された外動障子16と、室内側に配置された内動障子17が設置されている。
外動障子16及び内動障子17は、スペーサー18によって一定の間隔で隔てられた一対のガラス19, 19よりなるペアガラス20を備えている。ペアガラス20の４辺にはアルミ製の枠材（先端枠、後端枠、上端枠、下端枠）が装着されている。【００２０】
上記下枠11は、中央隔壁30によって室外側領域と室内側領域に区画されている。
また、下枠11内の室外側及び室内側には、ソロバンレールを構成する複数の戸車31が回転自在に配置されている（図３及び図４）。
各戸車31の上にはアルミ製のカバー材32が被せられており、このカバー材32に設けられた開口部33から、戸車31の上端部が表面に突出している。【００２１】
室外側に配置された戸車31の上に外動障子16を載置し、その上端を上枠12の室外側隔壁34と中央隔壁35との間のレール溝36に挿入することにより、外動障子16は左右（開閉方向）にスライド可能となされている。
また、室内側に配置された戸車31の上に内動障子17を載置し、その上端を上枠12の室内側隔壁37と中央隔壁35との間のレール溝38に挿入することにより、内動障子17は左右（開閉方向）にスライド可能となされている。【００２２】
以上の構成は、概ね従来の大開口サッシと共通している。
以下においては、この発明の特徴点を、従来の大開口サッシと対比しながら説明していく。【００２３】
［１］隙間塞ぎ材の改良
図６及び図７に示すように、従来の大開口サッシ100の場合、下枠101の室外側隔壁102の内面、中央隔壁103の外面及び内面、下枠101の室内側隔壁104の内面には、それぞれモヘアよりなる長尺な隙間塞ぎ材105が、下枠101の長手方向に沿って配設されていた。【００２４】
この隙間塞ぎ材105は、下枠101のみならず、上枠の室外側隔壁の内面、上枠の中央隔壁の外面及び内面、上枠の室内側隔壁の内面にも同様に設けられている（図示省略）。
また、各縦枠の室外側隔壁の内面、各縦枠の中央隔壁の外面及び内面、各縦枠の室内側隔壁の内面にも同様に設けられている（図示省略）。【００２５】
このように、四方枠側に隙間塞ぎ材105を配設することにより、外動障子106及び内動障子107を閉塞位置に配置した際には、その周縁の両面にモヘアよりなる隙間塞ぎ材105が当接することとなり、外気との接触が規制される。
また、各隙間塞ぎ材105がモヘアよりなるため、開閉時の抵抗も最小限となり、外動障子106及び内動障子107のスムーズな移動が確保される。
しかし一方で、全ての隙間塞ぎ材105が繊維材であるモヘアより構成されているため、気密性及び水密性に欠けるという点が問題視されており、現に日本のように年間降雨量が多い地域では、雨が室内に侵入する原因ともなっていた。【００２６】
これに対し、この発明に係る大開口サッシ10の場合、図８及び図９に示すように、下枠11の室外側隔壁40の内面及び中央隔壁30の内面には、従来通りモヘアよりなる第１の隙間塞ぎ材41が配設されているが、中央隔壁30の外面及び下枠11の室内側隔壁42の内面には、長尺なゴム製の第２の隙間塞ぎ材43が、下枠11の長手方向に沿って配設されている。【００２７】
また、下枠11のみならず、上枠12の中央隔壁35の外面及び上枠12の室内側隔壁37の内面にも、従来のモヘアに変わり、ゴム製の第２の隙間塞ぎ材43が、上枠12の長手方向に沿って配設されている（図３及び図４参照）。
これに対し、上枠12の室外側隔壁34の内面及び中央隔壁35の内面には、モヘアよりなる第１の隙間塞ぎ材41が配設されている。【００２８】
また、縦枠13の室内側隔壁85の内面にも、ゴム製の第２の隙間塞ぎ材43が、縦枠13の高さ方向に沿って配設されている（図５参照）。
これに対し、縦枠13の中央隔壁86の内面には、モヘアよりなる第１の隙間塞ぎ材41が配設されている。【００２９】
さらに、縦枠14の中央隔壁87の外面にも、ゴム製の第２の隙間塞ぎ材43が、縦枠14の高さ方向に沿って配設されている（図５参照）。
これに対し、縦枠14の室外側隔壁88の内面には、モヘアよりなる第１の隙間塞ぎ材41が配設されている。【００３０】
この第２の隙間塞ぎ材43は、図１０に示すように、可撓性を備えた一対の接触片44を備えており、各接触片44の先端が外動障子16の内面周縁に密着すると共に、内動障子17の内面周縁に密着するため、高い気密性及び水密性を発揮することができる。
この第２の隙間塞ぎ材43は、その基端部45が中央隔壁30の外面等に形成された凹溝46内に嵌装されることにより、固定されている。
なお、各障子の室外側には、従来通りモヘアよりなる第１の隙間塞ぎ材41が配設されているため、障子の滑動性が損なわれることはない。【００３１】
［２］止水パッキンの設置
従来は、図７に示すように、内動障子107の室外側下端と下枠101（中央隔壁103）との隙間108に何らの防水対策が施されていなかったため、内動障子107の外面に当たる雨水が容易に下枠101内に浸入する構造となっていた。
このようにして下枠101内に浸入した雨水は、本来、下枠101に設けられた排水口109から室外に排出される構造になっているが、降雨量が多い場合には下枠101内が満水になり易く、溢れた水が、内動障子107の室内側下端と下枠101の室内側隔壁104との隙間110から室内に流入する可能性があった。【００３２】
これに対しこの発明に係る大開口サッシ10の場合、図９に示すように、内動障子17の室外側下端と下枠11（中央隔壁30）との隙間48を塞ぐための止水パッキン50が設置されている。
この止水パッキン50は、可撓性を備えたゴム材よりなり、図１及び図２に示すように、内動障子17の外面下端の長手方向に沿って配設されている。【００３３】
この止水パッキン50は、図１０に示すように、可撓性を有する断面Ｊ字状の接触片51を備えており、この接触片51の先端が中央隔壁30の頂面に密接しているため、雨水が中央隔壁30と内動障子17の外面下端との間の隙間48から下枠11内に浸入することを有効に防止できる。
この止水パッキン50は、その基端部52が内動障子17の外面下端に形成された凹溝53内に嵌装されている。【００３４】
［３］アルミ製水切の設置
従来は、図６に示すように、外動障子106の外面下端と下枠101（室外側隔壁102）との隙間111に何らの防水対策が施されていなかったため、外動障子106の外面に当たる雨水が下枠101内に容易に浸入する構造となっていた。【００３５】
これに対しこの発明に係る大開口サッシ10の場合、図８に示すように、外動障子16の外面下端と下枠11の室外側隔壁40との隙間55からの雨水の浸入を防ぐために、外動障子16の外面下端に、アルミ製の水切56が取り付けられている。
この水切56は、庇状の傾斜面57を備えており、図１に示すように、この傾斜面57が上記隙間55を覆うように、外動障子16の外面下端の長手方向に沿って配設されている。このため、窓の閉塞時において、雨水が上記隙間55から下枠11内に浸入することを有効に防止できる。【００３６】
［４］下枠受材の改良
図６及び図７に示すように、従来の大開口サッシ100においては、下枠101を受け止めるための下枠受材112が、下枠101の下方に設けられていた。
この下枠受材112は、アルミ押出形材よりなり、下枠101の排水口109から排出された雨水を室外に案内するための庇状の水切部113を備えている。
また、外気温が室内に伝わるのを防止するため、ポリアミド製の断熱材114が、外動障子106の下方位置及び内動障子107の下方位置に、それぞれ配置されている。【００３７】
この発明に係る大開口サッシ10の場合も、図８及び図９に示すように、下枠11を受け止めるための下枠受材60が設けられているが、図１１に示すように、従来の下枠受材112に比べて形状及び構造が進化すると共に、多機能化が図られている。【００３８】
すなわち、この下枠受材60は従来と同様、アルミ押し出しによる一体成形によって形成されているのであるが、下枠11の排水口61から外部に排出された雨水を案内するための庇状の水切部62の他に、下枠11から漏れた水が室内側に浸入することを防止するための障壁部（立上げ部）63を備えている。
この障壁部63は、一定の間隙を隔てて下枠11の室内側隔壁42と平行するように形成されている。また、この障壁部63と下枠11の室内側隔壁42との間には、バッカー材68及びシリコンよりなるシール材69が装填される。
このため、下枠11内の水が漏れた場合であっても、この障壁部63及びシール材69によって雨水が堰き止められるため、室内側に浸水することを防止できる。【００３９】
また、複数のボルト収納部64及びボルト導出口89を備えているため、ここにレベル調整ボルト65を配置することにより、大開口サッシ10を建物の窓用開口部に載置する際のレベル調整が可能となる。
従来の下枠受材112はこのようなボルト収納部やボルト導出口を有していないため、レベル調整ボルトを装着するためには別体の取付枠材を接続する必要があり（図示省略）、部品点数の増大や作業工程の複雑化を招いていた。【００４０】
また、外動障子16の下方位置及び内動障子17の下方位置には、それぞれポリアミド製の断熱材66が２重に配置されている（図８及び図９参照）。
各断熱材66は長尺なベルト状をなしており、その両側端を下枠受材60側に設けられた係合溝67に嵌合させることにより、下枠11の長手方向に沿って配置固定されている。
このように、相互に一定の間隙を隔てて一対の断熱材66を上下に配置することにより、１枚の断熱材114のみを配置する場合に比べて断熱効果が向上すると共に、下枠受材60の変形を抑えることが可能となる。【００４１】
［５］召合せ部の改良
外国製の大開口サッシ100の場合、外動障子106の後端枠と内動障子107の後端枠とが重複する召合せ部の突出縁部が、それぞれアルミ材だけで形成されており、強度不足のために台風等の風圧に対して十分に耐えられない可能性があった。
そこで従来は、図１２に示すように、外動障子106側の突出縁部120及び内動障子107側の突出縁部122を切り欠き、内部に鋼板124を圧入することで、召合せ部の剛性を高める工夫が施されていた。
このため、確かに剛性を高めることはできたが、加工の手間がかかるのみならず、美観も損なわれる結果となっていた。【００４２】
これに対し、この発明に係る大開口サッシ10の場合には、図１３に示すように、外動障子16及び内動障子17の召合せ部に設けられたアルミ製の突出縁部70、71に予め収納スペース72を設けておき、その中に補強用の鋼板73を収納させた構造を備えている。この収納スペース72の上端には、アルミ製の蓋材が被せられる（図示省略）。
この結果、美観を損なうことなく、必要な剛性を確保することができ、台風等の風圧にも十分に耐えることが可能となる。【００４３】
［６］障子の戸当り部に設けられている断熱材の配置の改良
サッシの開閉に際しては、通常、外動障子または内動障子の戸当り部の近傍に配置された戸先取手形材に手を掛け、必要な方向に引っ張ることで行われるが、大開口サッシの場合には障子の重量自体が重いため、大きな負荷が戸先取手形材とペアガラスの先端枠との接合部分に加わることとなる。【００４４】
図１４は、従来の大開口サッシ100における外動障子106の戸当り部を示すものであるが、図示の通り、室外側戸先取手形材130の先端係合部131と室内側戸先取手形材132 の先端係合部133との間が、１枚の断熱材134によって連結されており、室外側戸先取手形材130及び室内側戸先取手形材132によって、ペアガラス135（一対のガラス136, 136）の先端枠137の表面が挟持される形となっている。ペアガラス135の先端枠137と、室外側戸先取手形材130及び室内側戸先取手形材132とは、接着により固定されている。
図示は省略したが、内動障子107の戸当り部も同様の構造を備えている。【００４５】
このように、従来は室外側戸先取手形材130の先端係合部131と室内側戸先取手形材132 の先端係合部133との間を繋ぐ断熱材134が１枚しかなかったため、室外側戸先取手形材130及び室内側戸先取手形材132の何れか一方に閉じ方向の大きな力が加わると、当該戸先取手形材が外側に開きやすく、その結果、ペアガラス135の先端枠137から剥がれ落ちる危険性があった。【００４６】
これに対し、この発明に係る大開口サッシ10の場合には、図１５に示すように、外動障子16の室外側戸先取手形材75の先端係合部76と室内側戸先取手形材77 の先端係合部78との間が、ポリアミドよりなる２枚の断熱材79, 80によって連結されている。
各断熱材79, 80は長尺なベルト状をなしており、その両側端を先端係合部76と先端係合部78側に設けられた係合溝に嵌合させることにより、外動障子16の高さ方向に沿って配置固定されている。
内動障子17の戸当り部近傍も、同様の構造を備えている（図５参照）。
図中の符号81は、戸当りゴムを示している。【００４７】
このように、相互に一定の間隙を隔てて一対の断熱材79, 80を配置し、これらによって外動障子16の室外側戸先取手形材75の先端係合部76と室内側戸先取手形材77 の先端係合部78との間が連結されているため、室外側戸先取手形材75及び室内側戸先取手形材77の何れか一方に閉じ方向の大きな力が加えられても、当該戸先取手形材が外側に開き難くなり、室外側戸先取手形材75や室内側戸先取手形材77が、ペアガラス20の先端枠82から剥がれ落ちる危険性がない。
また、一対の断熱材79, 80を相互に一定の間隙を隔てて配置することにより、断熱効果をより向上させることも可能となる。【００４８】
上記においては、外動障子16と内動障子17を備えた大開口サッシ10を例示したが、この発明はこれに限定されるものではなく、四方枠内に１枚、あるいは３枚以上の障子を設置する大開口サッシに広く適用可能である。
３枚以上の障子を設置する場合には、下枠及び上枠内には複数の内部隔壁が形成され、下枠及び上枠内が３つ以上の領域に区画される。そして、下枠内の各領域にはそれぞれ、各障子専用の戸車及びカバー材が配置されることとなる。【００４９】
また、この発明は上記のとおり、障子の寸法が一般的なサッシの障子よりも大型に形成されたいわゆる大開口サッシに好適ではあるが、大型か否かの明確な基準が存在するわけではなく、そのサイズを限定する必要性もない。
要は、下枠内に戸車を埋設させたソロバンレール方式のサッシに広く応用可能といえる。
また、「戸車」には、下枠内に回転自在に取り付けられた球状のボールベアリングも含まれるものとする。【００５０】
上記の大開口サッシ10は、図３〜図５、図８、図９、図１５に示すように、下枠11、上枠12、縦枠13及び縦枠14よりなる四方枠15側にも、それぞれの長手方向に沿って一対のポリアミド等よりなる断熱材90, 91が配設されており、相互間に一定の距離が確保されているため、高い断熱効果を発揮することができる。【００５１】
上記の場合、各枠に配設された断熱材90, 91が両方とも同じ湾曲形状を備えており、それぞれの凹部が対向する向きで配設されているが、四方枠15の断熱材の構成はこれに限定されるものではない。
例えば、図１６〜図２１に示すように、一方の断熱材（図面においては外側に位置する断熱材91）を湾曲のない平板状の断熱材92によって構成してもよい。図示は省略したが、両者を平板状の断熱材で構成することもできる。【００５２】
また、上記の大開口サッシ10は、図３、図４、図８〜図１０に示すように、各戸車31が個別の軸93及び軸受94によって回転自在に支持されている例を示したが、この発明はこのような戸車の構成に限定されるものではない。【００５３】
例えば、図１６〜図１９に示すように、左右に並んだ２つの戸車31, 31に対して１本の共通の軸95を挿通させ、これを共通の軸受96によって回転自在に支持するように構成してもよい。この結果、構成の簡素化や障子を移動させる際の円滑化が可能となる。
【図面の簡単な説明】
【００５４】
【図１】この発明に係る大開口サッシの基本構造を示す斜視図である。
【図２】この発明に係る大開口サッシの基本構造を示す部分斜視図である。
【図３】この発明に係る大開口サッシの外動障子の基本構造を示す縦断面図である。
【図４】この発明に係る大開口サッシの内動障子の基本構造を示す縦断面図である。
【図５】この発明に係る大開口サッシの基本構造を示す横断面図である。
【図６】従来の大開口サッシの下部（外動障子側）の構造を示す部分縦断面図である。
【図７】従来の大開口サッシの下部（内動障子側）の構造を示す部分縦断面図である。
【図８】この発明に係る大開口サッシの下部（外動障子側）の構造を示す部分縦断面図である。
【図９】この発明に係る大開口サッシの下部（内動障子側）の構造を示す部分縦断面図である。
【図１０】この発明に係る大開口サッシの下部の構造を示す拡大部分縦断面図である。
【図１１】この発明に係る下枠受材の構造を示す断面図である。
【図１２】従来の大開口サッシの召合せ部の構造を示す部分横断面図である。
【図１３】この発明に係る大開口サッシの召合せ部の構造を示す部分横断面図である。
【図１４】従来の大開口サッシの戸当り部の構造を示す部分横断面図である。
【図１５】この発明に係る大開口サッシの戸当り部の構造を示す部分横断面図である。
【図１６】四方枠側の断熱材の構成及び戸車の構成を変更させた例を示す、図３に対応した縦断面図である。
【図１７】四方枠側の断熱材の構成及び戸車の構成を変更させた例を示す、図４に対応した縦断面図である。
【図１８】四方枠側の断熱材の構成及び戸車の構成を変更させた例を示す、図８に対応した部分縦断面図である。
【図１９】四方枠側の断熱材の構成及び戸車の構成を変更させた例を示す、図９に対応した部分縦断面図である。
【図２０】四方枠側の断熱材の構成を変更させた例を示す、図５に対応した横断面図である。
【図２１】四方枠側の断熱材の構成を変更させた例を示す、図１５に対応した部分横断面図である。
【符号の説明】
【００５５】
10    大開口サッシ
11    下枠
12    上枠
13    縦枠
14    縦枠
15    四方枠
16    外動障子
17    内動障子
18    スペーサー
19    ガラス
20    ペアガラス
30    中央隔壁
31    戸車
32    カバー材
33    開口部
34    上枠の室外側隔壁
35    上枠の中央隔壁
36    上枠のレール溝
37    上枠の室内側隔壁
38    上枠のレール溝
40    下枠の室外側隔壁
41    第１の隙間塞ぎ材
42    下枠の室内側隔壁
43    第２の隙間塞ぎ材
44    接触片
50    止水パッキン
56    水切
60    下枠受材
62    水切部
63    障壁部
64    ボルト収納部
65    レベル調整ボルト
66    断熱材
70    突出縁部
72    収納スペース
73    鋼板
75    室外側戸先取手形材
77    室内側戸先取手形材
79    断熱材
80    断熱材
82    先端枠
90    四方枠側の湾曲状の断熱材
91    四方枠側の湾曲状の断熱材
92    四方枠側の平板状の断熱材
93    各戸車の個別の軸
94    各戸車の個別の軸受
95    一対の戸車間の共通の軸
96    一対の戸車間の共通の軸受
【図１】
2017110473.tif 000003
【図２】
2017110473.tif 000004
【図３】
2017110473.tif 000005
【図４】
2017110473.tif 000006
【図５】
2017110473.tif 000007
【図６】
2017110473.tif 000008
【図７】
2017110473.tif 000009
【図８】
2017110473.tif 000010
【図９】
2017110473.tif 000011
【図１０】
2017110473.tif 000012
【図１１】
2017110473.tif 000013
【図１２】
2017110473.tif 000014
【図１３】
2017110473.tif 000015
【図１４】
2017110473.tif 000016
【図１５】
2017110473.tif 000017
【図１６】
2017110473.tif 000018
【図１７】
2017110473.tif 000019
【図１８】
2017110473.tif 000020
【図１９】
2017110473.tif 000021
【図２０】
2017110473.tif 000022
【図２１】
2017110473.tif 000023
【国際調査報告】
2017110473.tif 000024
2017110473.tif 000025
2017110473.tif 000026
2017110473.tif 000027
2017110473.tif 000028
2017110473.tif 000029
2017110473.tif 000030
2017110473.tif 000031